(57)【要約】【課題】オイルパンに貯留されるオイルに作用する加速度にかかわらずオイルポンプでの空気の吸い込みを防止しつつ、油量を低減することが可能な油圧回路を提供する。【解決手段】油圧回路１は、駆動源として電動モータ１０を備える車両に搭載され、被潤滑部１１の潤滑と電動モータ１０の冷却を行う油圧回路である。油圧回路１は、オイルパン１２と、被潤滑部１１にオイルを導く潤滑用油路１４と、電動モータ１０にオイルを導く冷却用油路１５と、オイルパン１２に貯留されたオイルを吸入用油路１７を介して吸入し、当該吸入したオイルを昇圧して潤滑用油路１４及び冷却用油路１５に供給するオイルポンプ１３と、一端が冷却用油路１５に接続される第１油路１８と、第１油路１８の他端に設けられ、車両の減速度が所定の減速度以上になると開弁する開閉弁１９とを備える。【選択図】  図１
2018074756.tif 000002
【特許請求の範囲】
【請求項１】
駆動源として電動モータを備える車両に搭載され、前記電動モータの冷却を行う油圧回路であって、
オイルを貯留するオイルパンと、
前記電動モータにオイルを導く冷却用油路と、
前記オイルパンに貯留されたオイルを吸入用油路を介して吸入し、当該吸入したオイルを昇圧して前記冷却用油路に供給するオイルポンプと、
一端が前記冷却用油路に接続される第１油路と、
前記第１油路の他端に設けられ、前記車両の加速度に応じて開弁する開閉弁と、
を備えることを特徴とする油圧回路。
【請求項２】
前記車両の被潤滑部にオイルを導く潤滑用油路を備え、
前記オイルポンプは、オイルを前記冷却用油路及び前記潤滑用油路に供給することを特徴とする請求項１に記載の油圧回路。
【請求項３】
一端が前記開閉弁に接続され、他端が前記オイルパン内に配設される、又は、前記吸入用油路に接続される第２油路を備えることを特徴とする請求項１又は請求項２に記載の油圧回路。
【請求項４】
前記第２油路の他端は、前記オイルパン内に配設されるストレーナの吸入口近傍に配設されることを特徴とする請求項３に記載の油圧回路。
【請求項５】
前記開閉弁は、前記車両の加速度に応じて開弁するように構成された機械式の開閉弁であることを特徴とする請求項１〜請求項４の何れか一項に記載の油圧回路。
【請求項６】
前記開閉弁の開閉制御を行う制御手段と、
前記車両の加速度を検出する検出手段と、
を備え、
前記制御手段は、前記検出手段で検出された加速度に応じて前記開閉弁を開弁制御することを特徴とする請求項１〜請求項４の何れか一項に記載の油圧回路。
【請求項７】
前記開閉弁は、前記電動モータの温度が所定の温度以下のときに、前記車両の加速度に応じて開弁することを特徴とする請求項６に記載の油圧回路。
【請求項８】
前記開閉弁は、前記電動モータの駆動トルクが所定のトルク以下のときに、前記車両の加速度に応じて開弁することを特徴とする請求項６又は請求項７に記載の油圧回路。
【請求項９】
前記開閉弁は、前記車両の加速度の絶対値が所定値以上になると開弁することを特徴とする請求項１〜請求項８の何れか一項に記載の油圧回路。
【請求項１０】
前記開閉弁は、前記車両の減速度が所定の減速度以上になると開弁することを特徴とする請求項１〜請求項８の何れか一項に記載の油圧回路。
【請求項１１】
前記車両の減速度が前記所定の減速度以上の場合、前記電動モータでの回生が禁止されることを特徴する請求項１０に記載の油圧回路。
【請求項１２】
前記所定の減速度は、フルブレーキング時に前記車両に発生する減速度に基づいて設定されることを特徴とする請求項１０又は請求項１１に記載の油圧回路。
【発明の詳細な説明】
【技術分野】
【０００１】
本発明は、駆動源として電動モータを備える車両に搭載される油圧回路に関する。
【背景技術】
【０００２】
近年、駆動源として電動モータを備えるハイブリッド車両（ＨＥＶ（Ｈｙｂｒｉｄ  Ｅｌｅｃｔｒｉｃ  Ｖｅｃｈｉｃｌｅ））や電気自動車（ＥＶ（Ｅｌｅｃｔｒｉｃ  Ｖｅｈｉｃｌｅ））が実用化されている。電動モータは、駆動時や回生時に発熱する。この発熱による電動モータの性能低下や劣化を抑制するために、電動モータの冷却が行われている。電動モータの冷却は、例えば、オイルポンプによってオイルパン内から吸入したオイルを用いて行われる。
【０００３】
特許文献１には、動力分割装置を備えたハイブリッド車両において、モータ・ジェネレータに連通した冷却用油路と、動力分割装置における動力伝達部にオイルを供給する潤滑用油路と、内燃機関によって駆動され、冷却用油路及び潤滑用油路に連通したメカオイルポンプと、電動機によって駆動され、冷却用油路及び潤滑用油路に連通した電動オイルポンプと、電動オイルポンプから出力されたオイルが供給される油路を冷却用油路と潤滑用油路とに選択的に切る換える切替弁とを備える油圧制御装置が開示されている。
【先行技術文献】
【特許文献】
【０００４】
【特許文献１】特開２０１３−１９９２１６号公報
【発明の概要】
【発明が解決しようとする課題】
【０００５】
ところで、オイルポンプがオイルを吸入する際に空気を吸い込むと、吸い込んだ空気によって油圧の低下や異音の発生などを招くおそれがある。そのため、オイルパン内に十分な量のオイルが貯留されるように、潤滑用と冷却用に用いるオイルの量（以下、「油量」と記載）が設定されている。
【０００６】
しかしながら、車両の加減速時や旋回時には、車両に発生する加速度に応じてオイルパン内のオイルの油面が傾き、オイルパンの一側の油面が低下する。そのため、油面が低下した場合でもオイルポンプが空気を吸い込まないように、車両の加減速時や旋回時に発生する加速度を考慮して油量を設定する必要がある。特に、車両の減速時（例えば、フルブレーキングによる減速時）には最も大きな加速度が発生する可能性があるので、この減速時に発生する最大加速度を考慮して油量が設定されている場合がある。このように油量を設定した場合、油量が増大し、この油量に伴う質量やコストの増加を招く。
【０００７】
本発明は、上記問題点を解消する為になされたものであり、オイルパンに貯留されるオイルに作用する加速度にかかわらずオイルポンプでの空気の吸い込みを防止しつつ、油量を低減することが可能な油圧回路を提供することを目的とする。
【課題を解決するための手段】
【０００８】
本発明に係る油圧回路は、駆動源として電動モータを備える車両に搭載され、電動モータの冷却を行う油圧回路であって、オイルを貯留するオイルパンと、電動モータにオイルを導く冷却用油路と、オイルパンに貯留されたオイルを吸入用油路を介して吸入し、当該吸入したオイルを昇圧して冷却用油路に供給するオイルポンプと、一端が冷却用油路に接続される第１油路と、第１油路の他端に設けられ、車両の加速度に応じて開弁する開閉弁と、を備えることを特徴とする。
【０００９】
本発明に係る油圧回路では、電動モータを冷却するための冷却用油路に第１油路が接続され、この第１油路に開閉弁が設けられている。この開閉弁は、車両の加速度に応じて開弁する。したがって、本発明に係る油圧回路では、車両の加速度に応じて開閉弁が開弁し、冷却用のオイルをオイルパンなどに戻すことができ、オイルパン内の油量が増加する。そのため、車両で発生する最大の加速度に応じてオイルパン内のオイルの油面が傾いた場合でも、オイルパンの一側の油面の低下が抑えられる。これにより、油量を減らした場合（ひいては、油量を減らしたことでオイルパン内のオイルが少なくなった場合）でも、オイルポンプでの空気の吸い込みを防止することができる。このように、本発明に係る油圧回路によれば、オイルパンに貯留されるオイルに作用する加速度にかかわらずオイルポンプでの空気の吸い込みを防止しつつ、油量を低減することができる。
【００１０】
本発明に係る油圧回路では、車両の被潤滑部にオイルを導く潤滑用油路を備え、オイルポンプは、オイルを冷却用油路及び潤滑用油路に供給することが好ましい。このように構成することで、車両で発生する最大の加速度に応じてオイルパン内のオイルの油面が傾いた場合でも、冷却用のオイルをオイルパンなどに戻すことで、被潤滑部の循環用のオイルを確保することができる。
【００１１】
本発明に係る油圧回路では、一端が開閉弁に接続され、他端がオイルパン内に配設される、または、吸入用油路に接続される第２油路を備えることが好ましい。このように構成することで、開閉弁が開弁した場合に、冷却用のオイルをオイルパン内、または、吸入用油路に確実に戻すことができ、オイルポンプでの空気の吸い込みを防止することができる。
【００１２】
本発明に係る油圧回路では、第２油路の他端は、オイルパン内のストレーナの吸入口近傍に配設されることが好ましい。このように構成することで、オイルパンに戻したオイルをストレーナに吸入し易くすることができ、オイルポンプでの空気の吸い込みを防止することができる。
【００１３】
本発明に係る油圧回路では、開閉弁は、車両の加速度に応じて開弁するように構成された機械式の開閉弁であることが好ましい。このように構成することで、車両の加速度に応じて開閉弁を制御する必要がなく、制御用の部品を別途設ける必要がない。
【００１４】
本発明に係る油圧回路では、開閉弁の開閉制御を行う制御手段と、車両の加速度を検出する検出手段と、を備え、制御手段は、検出手段で検出された加速度に応じて開閉弁を開弁制御することが好ましい。このように構成することで、車両の加速度に応じて精度良く開閉弁を開弁させることができる。
【００１５】
本発明に係る油圧回路では、開閉弁は、電動モータの温度が所定の温度以下のときに、車両の加速度に応じて開弁すると好ましい。このように構成することで、車両の加速度が大きくなった場合でも電動モータの温度が所定の温度よりも高いときには開閉弁が閉弁するので、冷却用油路によって導かれたオイルによって電動モータを冷却することができる。これによって、電動モータの過熱を防止し、電動モータの信頼性を確保することができる。
【００１６】
本発明に係る油圧回路では、開閉弁は、電動モータの駆動トルクが所定のトルク以下のときに、車両の加速度に応じて開弁すると好ましい。このように構成することで、車両の加速度が大きくなった場合でも電動モータの駆動トルクが所定のトルクよりも大きいときには開閉弁が閉弁するので、冷却用油路によって導かれたオイルによって電動モータを冷却することができる。これによって、電動モータの過熱を防止し、電動モータの信頼性を確保することができる。
【００１７】
本発明に係る油圧回路では、開閉弁は、車両の加速度の絶対値が所定値以上になると開弁すると好ましい。このように構成することで、車両の加速度の絶対値が所定値以上になると開閉弁が確実に開弁することで、オイルポンプでの空気の吸い込みを確実に防止することができる。
【００１８】
本発明に係る油圧回路では、開閉弁は、車両の減速度が所定の減速度以上になると開弁することが好ましい。このように構成することで、減速時に車両の減速度が所定の減速度以上になると開閉弁が開弁し、冷却用のオイルをオイルパンなどに戻すことができ、オイルパン内の油量が増加する。そのため、車両の減速時に発生する最大の加速度に応じてオイルパン内のオイルの油面が傾いた場合でも、オイルパンの後方側の油面の低下が抑えられる。これにより、油量を減らした場合でも、オイルポンプでの空気の吸い込みを防止することができる。
【００１９】
本発明に係る油圧回路では、車両の減速度が所定の減速度以上の場合、電動モータでの回生が禁止されることが好ましい。このように構成されることで、車両の減速度が所定の減速度以上の場合に電動モータが発熱しないので、電動モータに対する冷却が不要であり、電動モータにオイルを回す必要がない。
【００２０】
本発明に係る油圧回路では、所定の減速度は、フルブレーキング時に車両に発生する減速度に基づいて設定されることが好ましい。このように構成することで、フルブレーキングによる減速時に最大の加速度が発生した場合に、開閉弁が開弁し、冷却用のオイルをオイルパンなどに戻すことができる。
【発明の効果】
【００２１】
本発明によれば、オイルパンに貯留されるオイルに作用する加速度にかかわらずオイルポンプでの空気の吸い込みを防止しつつ、油量を低減することが可能となる。
【図面の簡単な説明】
【００２２】
【図１】第１実施形態に係る油圧回路の構成を示すブロック図である。
【図２】第２実施形態に係る油圧回路の構成を示すブロック図である。
【発明を実施するための形態】
【００２３】
以下、図面を参照して本発明の好適な実施形態について詳細に説明する。なお、図中、同一又は相当部分には同一符号を用いることとする。また、各図において、同一要素には同一符号を付して重複する説明を省略する。なお、実施形態では、車両の前後方向の加速度において車両の前方向への加速度をプラス値の加速度とし、車両の後方向への加速度をマイナス値の加速度とする。車両の減速度は、マイナス値の加速度の絶対値である。
【００２４】
図１を参照して、第１実施形態に係る油圧回路１について説明する。図１は、第１実施形態に係る油圧回路１のブロック図である。油圧回路１を搭載する車両として、ハイブリッド車両に適用した場合を例にして説明する。油圧回路１について説明する前に、このハイブリッド車両について説明しておく。
【００２５】
ハイブリッド車両は、駆動源として、エンジン（図示省略）及び電動モータ１０を備えている。エンジンは、どのような形式のものでもよいが、例えば、水平対向型の４気筒ガソリンエンジンである。
【００２６】
電動モータ１０は、電動機として機能し、例えば、三相交流タイプの交流同期モータである。電動モータ１０は、発電機としても機能するモータ・ジェネレータである。電動モータ１０は、車両の加速時などに供給される電力に応じて回転駆動しているときや車両の減速時に回生で発電しているときに発熱する。電動モータ１０は、オイルによって冷却される油冷式の電動モータである。
【００２７】
また、ハイブリッド車両は、動力分割機構（図示省略）を備えている。動力分割機構は、例えば、リングギヤ、ピニオンギヤ、サンギヤ、及び、プラネタリキャリアから構成される遊星歯車機構を有している。この動力分割機構は、リングギヤに電動モータ１０とドライブトレーンが接続され、サンギヤに発電機が接続され、プラネタリキャリアにエンジンが接続され、エンジンで発生した駆動力をドライブトレーンと発電機とに分割して伝達する。
【００２８】
それでは、油圧回路１について説明する。油圧回路１は、オイルを用いて電動モータ１０を冷却すると共に被潤滑部１１を潤滑するための油圧回路である。油圧回路１は、オイルパン１２内のオイルをオイルポンプ１３によって吸入して昇圧し、この昇圧されたオイルを潤滑用油路１４及び冷却用油路１５に供給する。特に、油圧回路１は、車両の減速時に限界加速度が発生した場合に冷却用油路１５に供給される冷却用のオイルをオイルパン１２に戻す機能を有している。限界加速度は、フルブレーキング（ブレーキ性能が最大限に発揮されるブレーキング）時に車両に発生する最大の加速度（減速度）である。なお、フルブレーキング時（例えば、ブレーキペダルの踏み込み量や踏み込み速度、または、マスタシリンダ圧などに基づいてフルブレーキング操作されたと判定された時）には、電動モータ１０での回生が禁止され、回生ブレーキが働かず、油圧式のブレーキのみで減速する。
【００２９】
被潤滑部１１は、オイルによって潤滑される部材である。被潤滑部１１は、例えば、上述した動力分割機構やドライブトレーンなどに設けられるギヤや軸受けなどである。
【００３０】
オイルパン１２は、オイルを貯留する。オイルパン１２内には、ストレーナ１６が配設されている。ストレーナ１６は、例えば、車両の加減速時にオイルパン１２内のオイルの油面が車両の前後方向において傾いた場合の傾きの中心位置よりも後方側に吸入口が位置するように配置される。また、ストレーナ１６は、例えば、車両の旋回時にオイルパン１２内のオイルの油面が車両の幅方向において傾いた場合に左方側又は右方側の油面が低下するので、オイルパン１２内の幅方向の中央に吸入口が位置するように配置される。ストレーナ１６は、オイルポンプ１３によって吸い込まれるオイル中の異物（コンタミネーション）を捕捉する。ストレーナ１６には、吸入用油路１７の一端が接続されている。
【００３１】
オイルポンプ１３は、潤滑用油路１４と冷却用油路１５にオイルを供給するオイルポンプである。オイルポンプ１３は、オイルパン１２に貯留されているオイルを吸入し、この吸入したオイルを昇圧して吐出する。オイルポンプ１３の吸入部（吸入口）は、吸入用油路１７の他端が接続され、吸入用油路１７を介してストレーナ１６に連通されている。オイルポンプ１３は、機械式のオイルポンプ（メカオイルポンプ）であり、例えば、ベーンタイプのオイルポンプやトロコイドタイプのオイルポンプなどが好適に用いられる。オイルポンプ１３は、例えば、エンジンの駆動時にはエンジンの駆動力を伝達する動力伝達軸にギヤを介して連結されることで駆動され、エンジンの停止時には駆動輪に駆動力（電動モータ１０の駆動力）を伝達する動力伝達軸にギヤを介して連結されることで駆動される。なお、オイルポンプ１３から必要以上の油圧のオイルが吐出された場合にオイルの一部を排出するリリーフバルブが設けられてもよい。
【００３２】
潤滑用油路１４は、被潤滑部１１を潤滑するための油路である。潤滑用油路１４は、オイルポンプ１３の吐出部（吐出口）に連通されている。潤滑用油路１８は、オイルポンプ１３から吐出されたオイルを被潤滑部１１まで導くように油路が形成されている。
【００３３】
冷却用油路１５は、電動モータ１０を冷却するための油路である。冷却用油路１５は、オイルポンプ１３の吐出部に連通されている。冷却用油路１５は、オイルポンプ１３から吐出されたオイルを電動モータ１０まで導くように油路が形成されている。なお、冷却用油路１５の任意の箇所にはオイルを冷却するオイルクーラが設けられてもよい。また、上述した発電機も備える車両の場合、冷却用油路１５は電動モータ１０に加えて発電機も冷却する油路でもよい。
【００３４】
冷却用油路１５には、第１油路１８の一端が接続されている。第１油路１８は、電動モータ１０を冷却するための冷却用のオイルをオイルパン１２に戻すための油路である。第１油路１８の径は、冷却用油路１５の径よりも大径である。第１油路１８は、冷却用油路１５におけるオイルポンプ１３に近い箇所に接続されると好ましい。第１油路１８の他端には、開閉弁１９が設けられている。
【００３５】
開閉弁１９は、冷却用のオイルをオイルパン１２に戻すために、第１油路１８の端部を開閉する機械式の開閉弁である。開閉弁１９は、車両の減速度が所定の減速度以上になると開弁（全開）するように構成されている。開閉弁１９は、例えば、ばね付きのチェックバルブであり、チェックバルブに作用する減速度が所定の減速度以上になると開弁するようにマスやばね力などが調整されている。開閉弁１９は、例えば、チェックバルブの弁体１９ａ（例えば、ボール）のマスとチェックバルブに作用する減速度とに応じて弁体１９ａに作用する押力と、ばね１９ｂのばね力（付勢力）とのバランスによって弁体１９ａが駆動され、作用する減速度が所定の減速度以上になると開弁する。開閉弁１９は、車両の前後方向の加速度が作用するように車両の前後方向に沿って配置され、特に、減速度が大きくなると開弁する向きに配置されている。
【００３６】
所定の減速度は、フルブレーキング時に車両で発生する限界加速度に基づいて設定され、例えば、限界加速度に相当する減速度（例えば、１Ｇ）、または、限界加速度に相当する減速度よりも所定量（例えば、０．１Ｇ）小さい減速度が設定される。これによって、開閉弁１９は、フルブレーキング時（限界加速度発生時）に、自動的に開弁する。
【００３７】
開閉弁１９には、第２油路２０の一端が接続されている。第２油路２０は、開閉弁１９が開弁した場合に冷却用のオイルをオイルパン１２内のストレーナ１６の吸入口近傍に戻すための油路である。第２油路２０の他端は、ストレーナ１６の吸入口近傍に配設されている。特に、第２油路２０の他端は、ストレーナ１６の吸入口に向けて配設されていると好ましい。第２油路２０の径は、例えば、第１油路１８の径と同径である。
【００３８】
上述した構成の油圧回路１でのフルブレーキングによる減速時の動作について説明する。オイルポンプ１３は、エンジンなどの動力によって駆動され、ストレーナ１６を介してオイルパン１２内のオイルを吸入する。オイルポンプ１３は、吸入したオイルを昇圧し、昇圧したオイルを潤滑用油路１４に吐出すると共に冷却用油路１５に吐出する。潤滑用油路１４に吐出されたオイルは、潤滑用油路１４を介して被潤滑部１１まで導かれ、被潤滑部１１を潤滑する。この潤滑に用いられたオイルは、被潤滑部１１を通過後に、オイルパン１２に戻る。開閉弁１９は、通常、閉弁している。したがって、冷却用油路１５に吐出されたオイルは、冷却用油路１５を介して電動モータ１０まで導かれ、電動モータ１０を冷却する。この冷却に用いられたオイルは、電動モータ１０の各部を通過後に、オイルパン１２に戻る。
【００３９】
車両の運転者によってフルブレーキング操作された場合、車両には、フルブレーキングにより最大の減速度が発生する。これにより、オイルパン１２において、オイルの油面が車両の前後方向に傾き、後方側で油面が低くなる。この際、電動モータ１０による回生が禁止されている。
【００４０】
このとき、車両の減速度が所定の減速度以上になると、開閉弁１９は自動的に開弁する。これにより、冷却用油路１５に吐出されたオイルは、第１油路１８の径が冷却用油路１５の径よりも大きいので、第１油路１８及び開閉弁１９を介して第２油路２０に流入する。第２油路２０に流入したオイルは、オイルパン１２内のストレーナ１６の吸入口近傍で排出される。
【００４１】
この場合、冷却用油路１５に吐出された冷却用のオイルがオイルパン１２に戻されるので、開閉弁１９が閉弁している場合に比べてオイルパン１２内の油量が増加する。そのため、フルブレーキングで発生する減速度（限界加速度）に応じてオイルパン１２内のオイルの油面が傾くことで後方側の油面が低下するが、このようなオイルを戻す機能のない油圧回路が搭載される従来の車両に比べて、後方側の油面の低下が抑えられる。これによって、従来の車両に比べて油量を減らしても（ひいては、油量を減らしたことでオイルパン１２内のオイルが少なくなった場合でも）、オイルポンプ１３がストレーナ１６を介して空気を吸い込むことを防止することができる。また、このオイルポンプ１３から潤滑用油路１４に吐出されたオイルは被潤滑部１１に供給されているので、被潤滑部１１を潤滑することができる。
【００４２】
第１実施形態に係る油圧回路１によれば、フルブレーキングによる減速時には冷却用のオイルを戻すことでオイルパン１２内の油量を増加させることにより、オイルパン１２に貯留されるオイルに作用する加速度にかかわらずオイルポンプ１３での空気の吸い込みを防止しつつ、油量を低減することができる。このように油量を低減した場合でも、被潤滑部１１の循環用のオイルを十分に確保することができる。
【００４３】
第１実施形態に係る油圧回路１によれば、フルブレーキングによる減速時には従来の車両に比べて後方側の油面が低下しないので、ストレーナ１６を油面の傾きの中心位置よりも後方側に吸入口が位置するように配置することができる。このようにストレーナ１６を配置することで、車両の加速時に発生する最大の加速度に応じてオイルパン１２内のオイルの油面が傾くことでオイルパン１２の前方側で油面が最も低下した場合でも、オイルポンプ１３がストレーナ１６を介して空気を吸い込むことを防止することができる。これによって、油量を更に低減することができる。
【００４４】
第１実施形態に係る油圧回路１によれば、第２油路２０の他端がオイルパン１２内のストレーナ１６の吸入口近傍に配設されているので、オイルパン１２に戻したオイルをストレーナ１６に吸入し易くすることができ、オイルポンプ１３がストレーナ１６を介して空気を吸い込むことを防止することができる。
【００４５】
第１実施形態に係る油圧回路１によれば、開閉弁１９が車両の減速度が所定の減速度以上になると開弁するように構成された機械式の開閉弁であるので、車両の減速度に応じて開閉弁１９を制御する必要がなく、制御用の部品を別途設ける必要がない。
【００４６】
第１実施形態に係る油圧回路１によれば、車両の減速度が所定の減速度以上の場合（フルブレーキング時）、電動モータ１０での回生が禁止されるので、電動モータ１０で発熱しない。そのため、電動モータ１０に対する冷却が不要であり、電動モータ１０にオイルを回す必要がない。
【００４７】
図２を参照して、第２実施形態に係る油圧回路２について説明する。図２は、第２実施形態に係る油圧回路２のブロック図である。
【００４８】
油圧回路２は、第１実施形態に係る油圧回路１と比較すると、機械式の開閉弁１９に代えて電磁式の開閉弁２５を用いる点が異なる。以下では、この開閉弁２５及び開閉弁２５を制御する制御部についてのみ説明する。
【００４９】
開閉弁２５は、第１油路１８を開閉する電磁式の弁である。開閉弁２５は、車両の減速度が所定の減速度以上になった場合にのみ開弁するように制御される。開閉弁２５は、ＥＣＵ（Ｅｌｅｃｔｒｏｎｉｃ  Ｃｏｎｔｒｏｌ  Ｕｎｉｔ）３０（特許請求の範囲に記載の制御手段に相当）によって開閉制御される。開閉弁２５は、例えば、ノーマリークローズの電磁弁の場合、非通電時に閉弁し、通電時に開弁する。なお、開閉弁２５は、第１実施形態に係る開閉弁１９のように配置に制約がない。
【００５０】
ＥＣＵ３０は、ハイブリッド車両に搭載される電子制御装置である。ＥＣＵ３０は、例えば、ＨＥＶＣＵ（Ｈｙｂｒｉｄ  Ｅｌｅｃｔｒｉｃ  Ｖｅｈｉｃｌｅ  Ｃｏｎｔｒｏｌ  Ｕｎｉｔ）である。ＥＣＵ３０は、例えば、ＶＤＣＵ（Ｖｅｈｉｃｌｅ  Ｄｙｎａｍｉｃｓ  Ｃｏｎｔｒｏｌ  Ｕｎｉｔ）４０からＣＡＮ（Ｃｏｔｒｏｌｌｅｒ  Ａｒｅａ  Ｎｅｔｗｏｒｋ）５０を介して車両の加速度情報を受信する。ＶＤＣＵ４０には、加速度センサ４１（特許請求の範囲に記載の検出手段に相当）が接続されている。加速度センサ４１は、例えば、車両の前後方向及び横方向の加速度を検出するセンサである。
【００５１】
ＥＣＵ３０は、受信した加速度情報を用いて車両の減速度（マイナス値の加速度の絶対値）を取得し、この取得した減速度が所定の減速度以上か否かを判定する。そして、ＥＣＵ３０は、減速度が所定の減速度未満の場合、開閉弁２５を閉弁制御する（例えば、開閉弁２５への通電を停止する）。また、ＥＣＵ３０は、減速度が所定の減速度以上の場合、開閉弁２５を開弁制御する（例えば、開閉弁２５に通電する）。
【００５２】
上述した構成の油圧回路２でのフルブレーキングによる減速時の動作について説明する。ここでは、開閉弁２５に関する動作について詳細に説明する。ＶＤＣＵ４０では、加速度センサ４１で検出した加速度情報をＣＡＮ５０を介してＥＣＵ３０などに送信する。ＥＣＵ３０では、加速度情報を受信すると、車両の減速度が所定の減速度以上か否かを判定する。ＥＣＵ３０では、減速度が所定の減速度未満と判定している場合、開閉弁２５を閉弁制御する。この制御によって開閉弁２５が閉弁している場合、冷却用油路１５に吐出されたオイルは、冷却用油路１５を介して電動モータ１０まで導かれ、電動モータ１０を冷却する。
【００５３】
車両の運転者によってフルブレーキング操作された場合、車両には、フルブレーキングにより最大の減速度が発生する。このとき、ＥＣＵ３０では、車両の減速度が所定の減速度以上と判定し、開閉弁２５を開弁制御する。この制御によって開閉弁２５が開弁すると、冷却用油路１５に吐出されたオイルは、第１実施形態での動作説明と同様に、第１油路１８及び開閉弁１９を介して第２油路２０に流入する。第２油路２０に流入したオイルは、オイルパン１２内のストレーナ１６の吸入口近傍に排出される。これ以降の動作については、第１実施形態での動作説明と同様であるので、説明を省略する。
【００５４】
第２実施形態に係る油圧回路２は、第１実施形態に係る油圧回路１と同様の効果を有する（但し、開閉弁１９に関する効果は除く）。特に、第２実施形態に係る油圧回路２によれば、ＥＣＵ３０によって開閉制御される電磁式の開閉弁２５を用いているので、車両の減速度に応じて精度良く開閉弁２５を開弁させることができる。
【００５５】
以上、本発明の実施の形態について説明したが、本発明は、上記実施形態に限定されるものではなく種々の変形が可能である。例えば、上記実施形態では駆動源としてエンジンと電動モータ１０を備えるハイブリッド車両に適用したが、駆動源として電動モータのみを備える電気自動車にも適用可能である。
【００５６】
上記実施形態では強制潤滑用のオイルポンプとしてエンジン又は電動モータ１０の動力によって駆動される機械式のオイルポンプ１３を適用したが、電動式のオイルポンプも適用可能であり、また、エンジンの作動中にエンジンの動力によって駆動される機械式のオイルポンプとエンジンの停止中に用いられる電動式のオイルポンプとを切り換えて用いる構成にも適用可能である。
【００５７】
上記実施形態では一端が開閉弁１９，２５に接続され、他端がオイルパン１２内に配設される第２油路２０を備える構成としたが、第２油路２０を備えない構成としてもよい。この構成の場合、開閉弁１９，２５が開弁した場合に、開閉弁１９，２５からオイルが排出されることで、オイルがオイルパン１２に戻る。また、一端が開閉弁１９，２５に接続され、他端が吸入用油路１７の任意の箇所に接続される第２油路を設ける構成としてもよい。
【００５８】
上記実施形態では１個の開閉弁１９，２５を設ける構成としたが、冷却用油路１５における第１油路１８の接続箇所よりも電動モータ１０側に車両の減速度が所定の減速度以上になると閉弁する開閉弁を更に設ける構成としてもよい。このように構成した場合、油路の径に関係なく、車両の減速度が所定の減速度以上になると電動モータ１０側にオイルが流れない。
【００５９】
上記実施形態では電動モータ１０の冷却用と被潤滑部１１の潤滑用に用いられる油圧回路１，２に適用したが、これ以外の用途にも用いられる油圧回路に適用可能であり、また、電動モータ１０の冷却用のみに用いられる油圧回路に適用可能である。
【００６０】
上記実施形態では車両の減速度（車両の後方向の加速度）が所定の減速度以上になると開弁する開閉弁１９，２５に適用したが、車両の前方向の加速度が所定の加速度以上になると開弁する開閉弁にも適用可能であり、また、車両の横方向の加速度が所定の加速度以上になると開弁する開閉弁にも適用可能である。
【００６１】
上記実施形態では車両の減速中において電動モータ１０での回生が禁止される場合（電動モータ１０が作動していない場合）に車両の減速度が所定の減速度以上になると開閉弁１９，２５を開弁して、電動モータ１０の冷却用のオイルをオイルパン１２に戻す構成としたが、車両の加速中などにおいて電動モータの作動中でも車両の加速度に応じて開閉弁を開弁して、電動モータの冷却用のオイルをオイルパンなどに戻す構成とした場合、作動中の電動モータの過熱が問題となる可能性がある。以下に、電動モータの過熱を防止する方法の例を示す。
【００６２】
例えば、電動モータの温度を取得する手段を備え、電動モータの温度が所定の温度以下のときに開閉弁が車両の加速度に応じて開弁するようにすることで、車両の任意の方向の加速度が大きくなった場合でも電動モータの温度が所定の温度よりも高いときには開閉弁が閉弁するので、冷却用油路によって導かれたオイルによって電動モータを冷却することができる。また、電動モータの駆動トルクを取得する手段を備え、電動モータの駆動トルクが所定のトルク以下のときに開閉弁が車両の加速度に応じて開弁するようにすることで、車両の任意の方向の加速度が大きくなった場合でも電動モータの駆動トルクが所定のトルクよりも大きいときには開閉弁が閉弁するので、冷却用油路によって導かれたオイルによって電動モータを冷却することができる。これによって、電動モータの過熱を防止し、電動モータの信頼性を確保することができる。
【００６３】
上記第２実施形態ではＥＣＵ３０で開閉弁２５を車両の減速度に基づいて開閉制御する構成としたが、他のパラメータも加味して開閉制御する構成としてもよい。例えば、オイルの温度（油温）が低いと、オイルの粘度が高くなり、オイルの油圧が高くなるので、油温センサにより油温を検出し、ＥＣＵではこの検出した油温も加味して開閉制御を行う。
【符号の説明】
【００６４】
１，２  油圧回路
１０  電動モータ
１１  被潤滑部
１２  オイルパン
１３  オイルポンプ
１４  潤滑用油路
１５  冷却用油路
１６  ストレーナ
１７  吸入用油路
１８  第１油路
１９，２５  開閉弁
２０  第２油路
３０  ＥＣＵ
４１  加速度センサ
【図１】
2018074756.tif 000003
【図２】
2018074756.tif 000004